(57)【要約】【課題】１台分の消費電力と収納スペースで、室内において、人とペットが同時に、同じ速度で歩行運動ができ、ペットのしつけも可能な、人とペットの電動歩行運動装置を得る。【解決手段】  駆動モーターと動力分岐出力機構を備えた人間用歩行装置と、駆動モーターを持たず動力入力機構を備えたペット用歩行装置を並列に連結し、親機の出力を分岐して子機を駆動させることで１台分の消費電力で２台の歩行装置を駆動し、ペット用歩行装置を少し後方にずらして設置する構造で、ペットが人より前を歩かないしつけができ、収納時は、一体化して１台分の収納スペースしか必要としない人とペットの電動歩行運動装置とした。【選択図】図１
0003129101.tif 000002
【実用新案登録請求の範囲】
【請求項１】
駆動モーターと動力分岐出力機構を備えた人間用歩行装置と、駆動モーターを持たず動力入力機構を備えたペット用歩行装置を並列に連結して使用することで、親機の出力を分岐して子機を駆動させる人とペットの電動歩行運動装置。
【請求項２】
請求項１に記載の装置において、収納する際に、人間用歩行装置とペット用歩行装置を一体化し、１台分の収納スペースに２台分を収納する形状と組み合わせの人とペットの電動歩行運動装置。
【請求項３】
請求項１に記載の装置において、人間用歩行装置に対しペット用歩行装置を後方にずらして設置し、人間用歩行装置の動力伝達アームの傾斜角度とペット用歩行装置の折り畳み脚の開脚角度を調整することにより、ペット用歩行装置の前後方向に位置微調整が可能な構造の人とペットの電動歩行運動装置。
【請求項４】
請求項１に記載の装置において、人間用歩行装置とペット用歩行装置の動力分岐接続機構内に、動力伝達時の衝撃緩和と回転軸ブレを吸収する衝撃緩衝材を埋め込んだ構造の動力入力スプロケットを持つ人とペットの電動歩行運動装置。
【考案の詳細な説明】
【技術分野】
【０００１】  本考案は、室内において、人間とペットが同時に歩行運動をするための電動歩行運動装置に関するものである。
【背景技術】
【０００２】  犬などのペットを飼っている家庭では、犬の健康管理のために、行政からの指導もあり、１日１回はペットを連れての散歩が日課になっている場合が多い。しかし、散歩ができるかどうかは、天候に左右される事が多く、ペット用のカッパなどの雨具が市販されてはいるものの、雨の日にペットを連れての散歩をする人は少ない。歩行装置、ウォーカー、ランナー等の名称で、古くから、自走式や電動式の人間用の、運動用、リハビリ用等、さまざまな歩行装置があるが、最近では、雨の日でもペットに運動をさせることが出来る、或いは、室内犬などは、室内で運動させて散歩には連れ出さないと言うことで、ペット用の電動歩行装置が開発・販売されている。【０００３】  しかし、ペットは、飼い主との散歩には慣れているものの、単独で、電動歩行装置に乗せられても戸惑うばかりである。ペットは飼い主との散歩を望むのであり、室内犬にしても、飼い主と一緒に行動することを望むのであって、ペット単独の電動歩行装置は、雨の日のペットの運動を可能にはしたが、ペットがすすんで装置に乗るようにはなっていない。人とペットの同時運動が可能なアイデアもいくつか公開されているが、それぞれに一長一短がある。実際の散歩と同じ状況で室内歩行運動をしていなければ、晴れた日の散歩に、人、ペットともに違和感が生じることになる。実開昭６０−１８２０７５の健康器具は、人が自転車運動をすることにより動力を生み出し、自転車と並列に設置したペット用の歩行運動器具を動かす仕組みになっているが、最近では、自転車でペットを散歩させることは危険であることから行政からも推奨されないので実行している人は少なく、人も歩いてペットを散歩させることが一般的である。又、実開平０２−５８４６３の人と犬とのコンビネーション運動具は、実開昭６０−１８２０７５の健康器具と同じような構造で、自転車をエアロバイクに替えたものであるので、同様の問題点を抱えている。又、特開平０９−５１９６３の運動器具は、人とペットが向かい合った状態で、人の自走力をペット用の歩行装置に連動させて使う構造になっているが、人とペットが対面して歩行運動することと、ペット用の歩行装置が人間の胸部近くの高さにあることは自然ではなく、実際の散歩との違和感が大きい問題点を持つ。以上のどれも、ペットを歩かせるために人間が動力を生みだすことが、ペットに使われている感覚を生じさせてしまい長続きしない欠点を持つ。【０００４】  そこで、散歩と同様に、人間もペットと一緒に電動歩行装置で運動しようとすると、
１．人間用の電動歩行装置も購入せねばならず出費がかさむ。
２．又、ペット用と人間用の併用では、消費電力もかさむ。
３．使わない時は、２台分の収納スペースを確保しなければならない。
４．人間用とペット用の歩行速度合わせが難しくなる。等の問題がある。
【考案の開示】
【考案が解決しようとする課題】
【０００５】  解決しようとする問題点は、
１．消費電力、収納スペースを１台分で済ませること。
２．軽量化して、誰でも簡単に取り扱えること。
２．人間用とペット用の歩行速度を揃えること。
３．人間とペットが同時に室内歩行運動を可能にする点である。
【課題を解決するための手段】
【０００６】  本考案は、駆動モーターと動力出力軸を備えた人間用歩行装置（これより以降、親機と呼ぶこととする。）と、駆動モーターを持たず、動力入力穴を備えたペット用歩行装置（これより以降、子機と呼ぶこととする。）を並列に連結して使用することで、親機の出力を分岐して子機を駆動させるため、使用電力は１つのモーターを駆動させるだけに抑え、歩行速度を親機、子機共に同一とすることを実現した。又、子機は、駆動モーターを持たず軽いので誰にでも簡単に取り扱えるため、親機に子機を被せて収納することにより、２台を１台分のスペースに収納することを実現した。
【考案の効果】
【０００７】  本考案装置は、室内における人とペットの歩行運動が、実際の散歩と同様に飼い主と同じ歩行速度と感覚で手軽に出来る利点がある。又、親機と子機の設置位置が人間の少し後にペットが歩く形になるため、実際の散歩において、飼い主を引きづって歩くような悪しき習性を更正させる効果がある。更に、使用電力は１台分で２台を駆動し、収納スペースも１台分しか必要としない利点がある。
【考案を実施するための最良の形態】
【０００８】  収納時に親機の上に乗った子機を降ろし、親機を倒して使用状態にし、子機の折り畳み脚を起こし、親機の動力伝達アームを立てて、子機の動力入力穴に動力伝達アームの動力出力軸を差し込んで設置する。更に、子機には、ペットの飛び出し防止のための透明カバーを取り付ける。ペットを子機に乗せて人間が親機に乗ってからフレームの前方に取り付けた反射防止のために角度調整可能な操作盤で歩行速度を調整し、人とペットの同時歩行運動を開始する。
【実施例】
【０００９】  図１は、本考案装置の設置斜視図であり、親機と子機の設置のしかたを説明する図である。図２は、本考案装置の収納手順斜視図であり、親機と子機を収納する手順を説明した図である。図３は、本考案装置の収納斜視図であり、収納時の形態を示す図である。図４は実施例斜視図であり、人とペットが歩行運動をする様子を示す図である。図５は、動力伝達機構の透視斜視図であり、動力伝達機構を示す図である。図６は、動力伝達機構の透視側面図であり、動力伝達機構の位置関係を示す図である。図７は、設置平面図であり、人とペットの運動時の位置関係を示す図である。図８は、動力伝達部分透視斜視図であり、親機と子機の動力伝達部分の接続を示す図である。図９は、動力伝達接続部の半断面側面図であり、動力出力軸と動力入力穴の接続を示す図である。【００１０】  図１は、親機と子機の設置のしかたを説明する図である。まず、フレームの付いた親機１を設置脚部４が床に着くまで倒し、電力伝達アーム９を矢印のように起こして立てる。次に、子機の折り畳み脚１３を矢印方向に起こして拡げ、透明カバー１４の折り目を矢印方向に拡げて、子機を囲ってカバー止めネジ１５で固定する。次に、動力伝達アーム９の動力出力軸１０を子機１１の動力入力穴１２に差し込んで、親機１と子機１１をつなげる。これで、人間とペットの同時歩行運動が出来る状態になる。尚、子機１１の折り畳み脚１３を開く角度と、動力伝達アーム９の傾斜角度を変えることによって、子機１１の設置位置は前後に微調整できる。歩行運動を始める時は、操作盤６の液晶表示７を見ながら操作キー８によって歩行速度や時間などを設定する。人間の身長差により、室内照明が液晶表示に写り込み、表示が見にくくなることを防ぐため、操作盤６は矢印方向に角度調整可能とした。【００１１】  図２は、親機と子機を収納する手順を説明した図である。収納の際は、親機１を取付軸３を起点にして矢印方向に立ち上がらせる。次に、動力伝達アーム９が親機１に平行になるように矢印方向に回して合わせる。子機１１の折り畳み脚１３は、折り畳んでから、子機の前部を上にして、親機１と子機１１の歩行面を向かい合わせて親機１の上から被せるように差し込んで収納する。図３は、収納時の形態を示す図であるが、図３に示すように、本考案装置のの親機１と子機１１の形状から、収納時の形態は親機１と子機１１が一体化する。その際、操作盤と子機の間に出来る隙間に、矢印の示すように折り目から折り畳んだ透明カバー１４を、矢印方向に差し込んで収納する。【００１２】  図４は、人とペットが歩行運動をする様子を示す図である。飛び出し防止の透明カバーの付いた子機に乗ったペットと親機に乗った人間が、同じ歩行速度で矢印方向に回転する歩行ベルトの上を歩行運動する様子を示している。ペットは、人間よりもわずかに後ろを歩くことになる。図７において人間歩行位置３６とペット歩行位置３７の位置関係を平面図で示しているが、本考案の人とペットの電動歩行運動装置を使い続けることによって、ペットが人より前に出ないことが、自然に身に付くしつけとなって、実際の散歩において、飼い主を引きづって歩くような悪しき習性を更正させる効果がある。【００１３】  図５は、��力伝達機構を示す透視斜視図であり、図６は、動力伝達機構の位置関係を示す動力伝達機構の透視側面図である。親機１の前部に設置した駆動モーター１６で発生した動力は、モーター軸に取り付けたスプロケットａ１７からベルトａ２５によってスプロケットｂ１８に伝わり、回転軸両端に付けたスプロケットｂ１８からベルトｂ２６によってスプロケットｃ１９へ伝わり、ローラーａ３１を回転させ、歩行ベルト５のもう一方の端にあるローラーｃ３３との間で親機１の歩行ベルト５を駆動する。ローラーａ３１の両端に２重に設置したスプロケットｃ１９からベルトｃ２７によって歩行ベルトの中間位置に設置したローラーｂ３２の両端のスプロケットｄ２０に伝わる。ローラーｂ３２の回転軸の片方は動力伝達アーム９内まで伸ばし、先端に、動力伝達のためのスプロケットｄ２０を付け、動力伝達アーム９内のベルトｄ２８によって動力出力軸１０を持ったスプロケットｆ２２に伝わる。ここまでが親機１内での動力伝達機構である。
次に、親機１の動力出力軸１０と動力入力穴１２を結んで、図８に示す動力入力スプロケット３８に伝わった動力は、ベルトｅ２９によってスプロケットｇ２３に伝わり、２重に設置したスプロケットｇ２３からローラーｄ３４の両端に設置したスプロケットｈ２４に伝わり、ローラーｄ３４を回転させ、子機１１の歩行ベルト５のもう一方の端にあるローラーｅ３５との間で子機１１の歩行ベルト５を駆動する。ここまでが子機１１の歩行ベルト５を駆動する動力伝達機構である。【００１４】  図９は、動力伝達接続部の半断面側面図であり、動力出力軸と動力入力穴の接続を示す図である。親機の動力出力軸１０を持つスプロケットｆ２２は側面図のままに、子機１１の動力入力穴１２を持った動力入力スプロケット３８を半断面側面図として、動力伝達機構の工夫を示したものである。動力出力軸１０を動力入力穴１２に差し込み回転出力を伝達する場合、駆動時の回転力伝達衝撃を和らげるため動力入力スプロケット３８の内部を空洞にし、衝撃緩衝材としての柔軟な材質を充填し、その中央部分に動力入力穴１２を持った部材を埋め込んだものにし、この衝撃緩衝材の埋め込みによって、多少の偏心や床の歪みによるブレなども吸収することを可能とする。
【産業状の利用可能性】
【００１５】  本考案の人とペットの電動歩行運動装置によって、散歩に出られない雨天時に、人とペットが室内で通常の散歩と同様に、同じ歩行速度と感覚で歩行運動が可能となり、雨具をペットに着せて散歩をさせる手間もなくなり、雨天時のペットの散歩をあきらめていた人にも、犬いに役立つ。又、人とペットの歩行位置の関係を習慣づけすることが可能になり、実際の散歩において、飼い主を引きづって歩くような悪しき習性を更正させる効果があり、自然にペットのしつけが出来るので大いに役立つ。又、人間用とペット用の２台の歩行装置を駆動させるのに１台のモーターしか駆動しないので、消費全力の節減となる。駆動モーターを持たないペット用の子機は重量が軽いので、誰にでも簡単に取り扱え、親機と一体化させることで収納スペースをとらず１台分のスペースに２台を収納できるので、家庭用としても、業務用としても、大いに役立つ。
【図面の簡単な説明】
【００１６】
【図１】親機と子機の設置のしかたを示す設置斜視図である。
【図２】親機と子機を収納する手順を示す収納手順斜視図である。
【図３】収納時の形態を示す収納斜視図である。
【図４】人とペットが歩行運動をする様子を示す実施例斜視図である。
【図５】動力伝達機構を示す動力伝達機構の透視斜視図である。
【図６】動力伝達機構の位置関係を示す動力伝達機構の透視側面図である。
【図７】人とペットの運動時の位置関係を示す設置平面図である。
【図８】親機と子機の動力伝達部分の接続を示す動力伝達部分透視斜視図である。
【図９】動力出力軸と動力入力穴の接続を示す動力伝達接続部の半断面側面図である。
【符号の説明】
【００１７】１  親機
２  フレーム
３  取付軸
４  設置脚部
５  歩行ベルト
６  操作盤
７  液晶表示
８  操作キー
９  動力伝達アーム
１０  動力出力軸
１１  子機
１２  動力入力穴
１３  折り畳み脚
１４  透明カバー
１５  カバー止めネジ
１６  駆動モーター
１７  スプロケットａ
１８  スプロケットｂ
１９  スプロケットｃ
２０  スプロケットｄ
２１  スプロケットｅ
２２  スプロケットｆ
２３  スプロケットｇ
２４  スプロケットｈ
２５  ベルトａ
２６  ベルトｂ
２７  ベルトｃ
２８  ベルトｄ
２９  ベルトｅ
３０  ベルトｆ
３１  ローラーａ
３２  ローラーｂ
３３  ローラーｃ
３４  ローラーｄ
３５  ローラーｅ
３６  人間歩行位置
３７  ペット歩行位置
３８  動力入力スプロケット
３９  衝撃緩衝材
４０  電源コード
【図１】
0003129101.tif 000003
【図２】
0003129101.tif 000004
【図３】
0003129101.tif 000005
【図４】
0003129101.tif 000006
【図５】
0003129101.tif 000007
【図６】
0003129101.tif 000008
【図７】
0003129101.tif 000009
【図８】
0003129101.tif 000010
【図９】
0003129101.tif 000011
【手続補正書】
【提出日】平成18年10月19日(2006.10.19)
【手続補正１】
【補正対象書類名】実用新案登録請求の範囲
【補正対象項目名】全文
【補正方法】変更
【補正の内容】
【実用新案登録請求の範囲】
【請求項１】
駆動モーターと動力伝達アームを備えた人間用歩行装置の、動力伝達アーム内から外側に出た動力出力軸を、駆動モーターを持たず動力入力のための動力入力穴を備えたペット用歩行装置の動力入力穴に連結し、人間用歩行装置の出力を分岐してペット用歩行装置を駆動させる人とペットの電動歩行運動装置。
【請求項２】
請求項１に記載の装置において、駆動モーターと歩行ベルト駆動機構及び動力伝達機構を内蔵し、フレームの取付軸のある人間用歩行装置の前部を歩行部分の倍以上の厚みを持たせ、歩行面との境界立ち上がり部分は、歩行面から続くアールで立ち上がる形状で、ペット用歩行装置の外観は、前後に折り畳み脚を付けた事とフレームと動力伝達アームが無いことが人間用歩行装置と異なり、基本形状は人間用歩行装置と相似形であり、人間用歩行装置では駆動モーターと歩行ベルト駆動機構及び動力伝達機構の入る前部には、ペット用歩行装置では、人間用歩行装置からの動力を入力する動力伝達穴を持つ動力伝達スプロケットと歩行ベルト駆動機構だけが入り、収納する際には、人間用歩行装置の動力伝達アームを折り畳み、前部のフレーム取り付け部を支点として、フレームに添わせて垂直に起こして、人間用歩行装置とフレームの間に出来る隙間に、折り畳み脚を折り畳み、前部を上にしたペット用歩行装置を人間用歩行装置と歩行面同士が向き合うように挿入して、ペット用歩行装置を人間用歩行装置の上に被せるように乗せ、更に、ペット用歩行装置から取り外して折り畳んだ透明カバーをペット用歩行装置とフレームの隙間に挿入し、人間用歩行装置とペット用歩行装置を一体化し、１台分の収納スペースに２台分を収納する形状と組み合わせの人とペットの電動歩行運動装置。
【請求項３】
請求項１に記載の装置において、歩行運動をする際に、人間用歩行装置に対しペット用歩行装置を後方にずらして設置し、人間用歩行装置の動力伝達アームの傾斜角度とペット用歩行装置の折り畳み脚の開脚角度を調整することにより、ペット用歩行装置の前後方向に位置の微調整が可能な構造の人とペットの電動歩行運動装置。
【請求項４】
請求項１に記載の装置において、人間用歩行装置とペット用歩行装置の動力分岐接続機構内に、動力伝達時の衝撃緩和と回転軸ブレを吸収する衝撃緩衝材を埋め込んだ構造の動力入力スプロケットを持つ人とペットの電動歩行運動装置。